(57)【要約】【課題】簡易に立体撮影を行うものとして構成することができるカプセル内視鏡システムを得る。【解決手段】カプセル内視鏡システムを構成するカプセル内視鏡１０Ａの撮像方向に直交する方向の側面又は当該側面の近傍にマグネット４０Ａを設ける一方、カプセル内視鏡１０Ｂの撮像方向に直交する方向の側面又は当該側面の近傍に、マグネット４０Ａとの間の磁力によってカプセル内視鏡１０Ａに引き付けられた際に撮像方向がカプセル内視鏡１０Ａによる撮像方向を向くようにマグネット４０Ｂを設ける。【選択図】図１
2008067909.tif 000002
【特許請求の範囲】
【請求項１】
第１のカプセル内視鏡及び第２のカプセル内視鏡を組み合わせて用いることにより立体撮影を可能とするカプセル内視鏡システムであって、
前記第１のカプセル内視鏡は、
被写体を撮像するための第１の撮像素子と、
前記第１の撮像素子の撮像領域に被写体像を結像させる第１の結像光学系と、
当該第１のカプセル内視鏡の前記第１の撮像素子による撮像方向に直交する方向の側面又は当該側面の近傍に設けられた第１の側面マグネットと、
を備え、
前記第２のカプセル内視鏡は、
被写体を撮像するための第２の撮像素子と、
前記第２の撮像素子の撮像領域に被写体像を結像させる第２の結像光学系と、
当該第２のカプセル内視鏡の前記第２の撮像素子による撮像方向に直交する方向の側面又は当該側面の近傍に設けられ、前記第１の側面マグネットとの間の磁力によって前記第１のカプセル内視鏡に引き付けられた際に前記第２の撮像素子による撮像方向が前記第１の撮像素子による撮像方向を向くように設けられた第２の側面マグネットと、
を備えたことを特徴とするカプセル内視鏡システム。
【請求項２】
前記第１のカプセル内視鏡は、当該第１のカプセル内視鏡の前記第１の撮像素子による撮像方向と逆方向側の端部又は当該端部近傍に設けられた第１の後部マグネットを更に備え、
前記第２のカプセル内視鏡は、当該第２のカプセル内視鏡の前記第２の撮像素子による撮像方向と逆方向側の端部又は当該端部近傍に設けられた第２の後部マグネットを更に備え、
前記第１のカプセル内視鏡と前記第２のカプセル内視鏡の後端部が略半球形状とされており、かつ前記第１の後部マグネットと前記第２の後部マグネットとの間の磁力が、当該磁力により前記第１のカプセル内視鏡と前記第２のカプセル内視鏡の後端部同士が結合されている状態で前記第１の側面マグネットと前記第２の側面マグネットとの間の磁力により前記第１のカプセル内視鏡と前記第２のカプセル内視鏡が結合される状態に移行される磁力とされている
請求項１記載のカプセル内視鏡システム。
【請求項３】
前記第１の側面マグネットと前記第１の後部マグネットが一体構成されたものであり、
前記第２の側面マグネットと前記第２の後部マグネットが一体構成されたものである
請求項２記載のカプセル内視鏡システム。
【請求項４】
前記第１の側面マグネットと前記第１の後部マグネットが略Ｌ字状に一体構成されたものであり、
前記第２の側面マグネットと前記第２の後部マグネットが略Ｌ字状に一体構成されたものである
請求項３記載のカプセル内視鏡システム。
【請求項５】
前記第１の結像光学系は、光軸方向前方が前記第１の側面マグネットの配置側の側方に所定角度傾斜されており、
前記第２の結像光学系は、光軸方向前方が前記第２の側面マグネットの配置側の側方に所定角度傾斜されている
請求項１乃至請求項４の何れか１項記載のカプセル内視鏡システム。
【請求項６】
前記第１のカプセル内視鏡の前記第１の側面マグネットが配置されている側の側面と、前記第２のカプセル内視鏡の前記第２の側面マグネットが配置されている側の側面とが、互いに整合する形状とされている
請求項１乃至請求項５の何れか１項記載のカプセル内視鏡システム。
【請求項７】
前記第１のカプセル内視鏡及び前記第２のカプセル内視鏡の何れか一方の外面の摩擦が他方の外面より大きくされている
請求項１乃至請求項６の何れか１項記載のカプセル内視鏡システム。
【請求項８】
前記第１のカプセル内視鏡及び前記第２のカプセル内視鏡は、互いにサイズが異なるものである
請求項１乃至請求項７の何れか１項記載のカプセル内視鏡システム。
【請求項９】
前記第１の側面マグネット及び前記第２の側面マグネットの少なくとも一方は、電流、電界、及び磁界の何れかにより磁力が生じるものである
請求項１乃至請求項８の何れか１項記載のカプセル内視鏡システム。
【請求項１０】
前記第１のカプセル内視鏡は、前記第１の撮像素子及び前記第１の結像光学系が設けられた第１の撮像部を更に備え、
前記第２のカプセル内視鏡は、前記第２の撮像素子及び前記第２の結像光学系が設けられた第２の撮像部を更に備えた
請求項１乃至請求項９の何れか１項記載のカプセル内視鏡システム。
【請求項１１】
前記第１の撮像部は、前記第１のカプセル内視鏡に前記第１の撮像素子による撮像領域の中心を中心軸として回転自在に設けられ、かつ外周部の一部に第１の撮像部マグネットが設けられており、
前記第２の撮像部は、前記第２のカプセル内視鏡に前記第２の撮像素子による撮像領域の中心を中心軸として回転自在に設けられ、かつ前記第１の側面マグネットと前記第２の側面マグネットとの間の磁力によって前記第２のカプセル内視鏡が前記第１のカプセル内視鏡に引き付けられた際に前記第１の撮像部マグネットと引き付け合うように外周部の一部に第２の撮像部マグネットが設けられている
請求項１０記載のカプセル内視鏡システム。
【請求項１２】
前記第１の撮像部は、前記第１のカプセル内視鏡に前記第１の撮像素子による撮像方向に対して所定の範囲内で移動自在に設けられており、
前記第２の撮像部は、前記第２のカプセル内視鏡に前記第２の撮像素子による撮像方向に対して所定の範囲内で移動自在に設けられている
請求項１１記載のカプセル内視鏡システム。
【請求項１３】
前記第１の撮像部マグネットは、一端部が前記第１の側面マグネットの前記第１の撮像素子による撮像方向側の一端部と引き合う極性とされており、
前記第２の撮像部マグネットは、一端部が前記第２の側面マグネットの前記第２の撮像素子による撮像方向側の一端部と引き合う極性とされている
請求項１１又は請求項１２記載のカプセル内視鏡システム。
【請求項１４】
前記第１の撮像素子及び前記第２の撮像素子は、撮像感度範囲が双方とも可視光の感度範囲のものであるか、又は双方とも非可視光の感度範囲のものであるか、又は一方が可視光の感度範囲で他方が非可視光の感度範囲のものである
請求項１乃至請求項１３の何れか１項記載のカプセル内視鏡システム。
【発明の詳細な説明】
【技術分野】
【０００１】
本発明は、カプセル内視鏡システムに係り、特に、立体撮影（複眼撮影）を行うことのできるカプセル内視鏡システムに関する。
【背景技術】
【０００２】
従来、カプセル内視鏡として適用できる技術として、特許文献１には、体内観察用のカプセル型の超小型カメラに関する技術が開示されている。
【０００３】
また、特許文献２には、各種機能手段を備えた医療用カプセル装置において、回転自在に支持された回転部材を有し、その回転部材が回転することによって電気エネルギーを発生する発電手段と、前記回転部材に偏心した状態で固着された偏心体と、前記発電手段からの電力を蓄え、前記各種機能手段に電力を供給する蓄電手段と、を設けた技術が開示されている。
【特許文献１】特開平５−１５５１５号公報
【特許文献２】特開平９−３２７４４７号公報
【発明の開示】
【発明が解決しようとする課題】
【０００４】
ところで、カプセル内視鏡は、その主な目的が内臓等の体内における異常部位の発見にあるため、カプセル内視鏡による撮影では、体内の内壁等における凹凸状態が確認しやすい立体画像を撮影できることが望まれている。
【０００５】
しかしながら、上記特許文献１及び特許文献２に開示されている技術では、２つのカプセルを一体化して用いることにより立体撮影を行うことはできるものの、当該一体化するために接着等を行う必要があり、手間がかかる、という問題点があった。
【０００６】
また、１つのカプセル内に２つの撮像素子を設けることにより、１つのカプセルのみで立体撮影を行うことができるようにすることも考えられるが、この場合には、立体撮影用の専用のカプセル内視鏡を製作する必要があり、必ずしも簡易に実現できるとは限らない。
【０００７】
本発明は上記問題点を解決するためになされたものであり、簡易に立体撮影を行うものとして構成することができるカプセル内視鏡システムを提供することを目的とする。
【課題を解決するための手段】
【０００８】
上記目的を達成するために、請求項１に記載のカプセル内視鏡システムは、第１のカプセル内視鏡及び第２のカプセル内視鏡を組み合わせて用いることにより立体撮影を可能とするカプセル内視鏡システムであって、前記第１のカプセル内視鏡は、被写体を撮像するための第１の撮像素子と、前記第１の撮像素子の撮像領域に被写体像を結像させる第１の結像光学系と、当該第１のカプセル内視鏡の前記第１の撮像素子による撮像方向に直交する方向の側面又は当該側面の近傍に設けられた第１の側面マグネットと、を備え、前記第２のカプセル内視鏡は、被写体を撮像するための第２の撮像素子と、前記第２の撮像素子の撮像領域に被写体像を結像させる第２の結像光学系と、当該第２のカプセル内視鏡の前記第２の撮像素子による撮像方向に直交する方向の側面又は当該側面の近傍に設けられ、前記第１の側面マグネットとの間の磁力によって前記第１のカプセル内視鏡に引き付けられた際に前記第２の撮像素子による撮像方向が前記第１の撮像素子による撮像方向を向くように設けられた第２の側面マグネットと、を備えたことを特徴としている。
【０００９】
請求項１に記載のカプセル内視鏡システムによれば、第１のカプセル内視鏡に、被写体を撮像するための第１の撮像素子と、前記第１の撮像素子の撮像領域に被写体像を結像させる第１の結像光学系と、当該第１のカプセル内視鏡の前記第１の撮像素子による撮像方向に直交する方向の側面又は当該側面の近傍に設けられた第１の側面マグネットと、が備えられる一方、第２のカプセル内視鏡に、被写体を撮像するための第２の撮像素子と、前記第２の撮像素子の撮像領域に被写体像を結像させる第２の結像光学系と、当該第２のカプセル内視鏡の前記第２の撮像素子による撮像方向に直交する方向の側面又は当該側面の近傍に設けられ、前記第１の側面マグネットとの間の磁力によって前記第１のカプセル内視鏡に引き付けられた際に前記第２の撮像素子による撮像方向が前記第１の撮像素子による撮像方向を向くように設けられた第２の側面マグネットと、が備えられる。
【００１０】
この構成により、第１の側面マグネットと第２の側面マグネットとの間の磁力によって、第２の撮像素子による撮像方向が第１の撮像素子による撮像方向を向く状態で第１のカプセル内視鏡と第２のカプセル内視鏡が一体化されるため、立体撮影を行うことができるカプセル内視鏡システムを簡易に構成することができる。また、このとき、第１のカプセル内視鏡と第２のカプセル内視鏡は、各々に設けられた側面マグネットを除く部分が従来から存在する単眼撮影用のカプセル内視鏡と同様のものであるため、立体撮影用の専用のカプセル内視鏡を製作する場合に比較して、簡易に実現することができる。
【００１１】
なお、上記第１の撮像素子及び第２の撮像素子には、ＣＣＤエリアセンサ、ＣＭＯＳイメージ・センサ等の固体撮像素子が含まれる。
【００１２】
このように、請求項１に記載のカプセル内視鏡システムによれば、当該カプセル内視鏡システムを構成する第１のカプセル内視鏡の撮像方向に直交する方向の側面又は当該側面の近傍に第１の側面マグネットを設ける一方、第２のカプセル内視鏡の撮像方向に直交する方向の側面又は当該側面の近傍に、第１の側面マグネットとの間の磁力によって第１のカプセル内視鏡に引き付けられた際に撮像方向が第１のカプセル内視鏡による撮像方向を向くように第２の側面マグネットを設けているので、簡易に立体撮影を行うものとして構成することができる。
【００１３】
なお、本発明は、請求項２に記載の発明のように、前記第１のカプセル内視鏡が、当該第１のカプセル内視鏡の前記第１の撮像素子による撮像方向と逆方向側の端部又は当該端部近傍に設けられた第１の後部マグネットを更に備え、前記第２のカプセル内視鏡が、当該第２のカプセル内視鏡の前記第２の撮像素子による撮像方向と逆方向側の端部又は当該端部近傍に設けられた第２の後部マグネットを更に備え、前記第１のカプセル内視鏡と前記第２のカプセル内視鏡の後端部が略半球形状とされており、かつ前記第１の後部マグネットと前記第２の後部マグネットとの間の磁力が、当該磁力により前記第１のカプセル内視鏡と前記第２のカプセル内視鏡の後端部同士が結合されている状態で前記第１の側面マグネットと前記第２の側面マグネットとの間の磁力により前記第１のカプセル内視鏡と前記第２のカプセル内視鏡が結合される状態に移行される磁力とされているものとしてもよい。これにより、第１のカプセル内視鏡と第２のカプセル内視鏡の各々の後端部同士を磁力により結合した状態で体内に投入することができる結果、利便性を向上させることができる。
【００１４】
特に、請求項２に記載の発明は、請求項３に記載の発明のように、前記第１の側面マグネットと前記第１の後部マグネットが一体構成されたものであり、前記第２の側面マグネットと前記第２の後部マグネットが一体構成されたものであるものとしてもよい。これにより、第１のカプセル内視鏡及び第２のカプセル内視鏡を簡易に構成することができる結果、より簡易に立体撮影を行うものとして構成することができる。
【００１５】
また、請求項３に記載の発明は、請求項４に記載の発明のように、前記第１の側面マグネットと前記第１の後部マグネットが略Ｌ字状に一体構成されたものであり、前記第２の側面マグネットと前記第２の後部マグネットが略Ｌ字状に一体構成されたものであるものとしてもよい。これにより、より簡易に側面マグネットと後部マグネットを構成することができる結果、より簡易に立体撮影を行うものとして構成することができる。
【００１６】
また、本発明は、請求項５に記載の発明のように、前記第１の結像光学系が、光軸方向前方が前記第１の側面マグネットの配置側の側方に所定角度傾斜されており、前記第２の結像光学系が、光軸方向前方が前記第２の側面マグネットの配置側の側方に所定角度傾斜されているものとしてもよい。これにより、近接した被写体に対する立体撮影を良好に行うことができる。
【００１７】
また、本発明は、請求項６に記載の発明のように、前記第１のカプセル内視鏡の前記第１の側面マグネットが配置されている側の側面と、前記第２のカプセル内視鏡の前記第２の側面マグネットが配置されている側の側面とが、互いに整合する形状とされているものとしてもよい。これにより、第１のカプセル内視鏡と第２のカプセル内視鏡とを安定した状態で結合することができる。
【００１８】
また、本発明は、請求項７に記載の発明のように、前記第１のカプセル内視鏡及び前記第２のカプセル内視鏡の何れか一方の外面の摩擦が他方の外面より大きくされているものとしてもよい。これにより、体内に外面の摩擦が大きい方のカプセル内視鏡を先に投入した後、他方のカプセル内視鏡を投入することにより、各カプセル内視鏡の体内への投入後の結合性を向上させることができる。
【００１９】
また、本発明は、請求項８に記載の発明のように、前記第１のカプセル内視鏡及び前記第２のカプセル内視鏡を、互いにサイズが異なるものであるものとしてもよい。これにより、体内にサイズが大きい方のカプセル内視鏡を先に投入した後、他方のカプセル内視鏡を投入することにより、各カプセル内視鏡の体内への投入後の結合性を向上させることができる。
【００２０】
また、本発明は、請求項９に記載の発明のように、前記第１の側面マグネット及び前記第２の側面マグネットの少なくとも一方を、電流、電界、及び磁界の何れかにより磁力が生じるものであるものとしてもよい。これにより、第１の側面マグネットと第２の側面マグネットとの間の磁力による第１のカプセル内視鏡と第２のカプセル内視鏡の結合を電気的又は磁気的に制御することができる結果、利便性を向上させることができる。
【００２１】
また、本発明は、請求項１０に記載の発明のように、前記第１のカプセル内視鏡が、前記第１の撮像素子及び前記第１の結像光学系が設けられた第１の撮像部を更に備え、前記第２のカプセル内視鏡が、前記第２の撮像素子及び前記第２の結像光学系が設けられた第２の撮像部を更に備えたものとしてもよい。これにより、第１の撮像素子と第１の結像光学系の一体構成化及び第２の撮像素子と第２の結像光学系の一体構成化が可能となり、この結果として、第１のカプセル内視鏡及び第２のカプセル内視鏡を簡易に構成することができる。
【００２２】
特に、請求項１０に記載の発明は、請求項１１に記載の発明のように、前記第１の撮像部が、前記第１のカプセル内視鏡に前記第１の撮像素子による撮像領域の中心を中心軸として回転自在に設けられ、かつ外周部の一部に第１の撮像部マグネットが設けられており、前記第２の撮像部が、前記第２のカプセル内視鏡に前記第２の撮像素子による撮像領域の中心を中心軸として回転自在に設けられ、かつ前記第１の側面マグネットと前記第２の側面マグネットとの間の磁力によって前記第２のカプセル内視鏡が前記第１のカプセル内視鏡に引き付けられた際に前記第１の撮像部マグネットと引き付け合うように外周部の一部に第２の撮像部マグネットが設けられているものとしてもよい。これにより、第１の撮像部と第２の撮像部との間の各々の回転方向に対する相対的な位置関係を所望の状態とすることができる結果、良好な立体撮影を行うことができる。
【００２３】
また、請求項１１に記載の発明は、請求項１２に記載の発明のように、前記第１の撮像部が、前記第１のカプセル内視鏡に前記第１の撮像素子による撮像方向に対して所定の範囲内で移動自在に設けられており、前記第２の撮像部が、前記第２のカプセル内視鏡に前記第２の撮像素子による撮像方向に対して所定の範囲内で移動自在に設けられているものとしてもよい。これにより、第１の撮像部と第２の撮像部の各カプセル内視鏡による撮像方向に対する位置を一致させることができる結果、良好な立体撮影を行うことができる。
【００２４】
また、請求項１１又は請求項１２記載の発明は、請求項１３に記載の発明のように、前記第１の撮像部マグネットが、一端部が前記第１の側面マグネットの前記第１の撮像素子による撮像方向側の一端部と引き合う極性とされており、前記第２の撮像部マグネットが、一端部が前記第２の側面マグネットの前記第２の撮像素子による撮像方向側の一端部と引き合う極性とされているものとしてもよい。これにより、磁力によって各カプセル内視鏡における撮像部マグネットの位置を、対応する側面マグネットに最も近い位置に位置させることができ、第１の撮像部と第２の撮像部の位置を、より安定化させることができる結果、良好な立体撮影を行うことができる。
【００２５】
また、本発明は、請求項１４に記載の発明のように、前記第１の撮像素子及び前記第２の撮像素子が、撮像感度範囲が双方とも可視光の感度範囲のものであるか、又は双方とも非可視光の感度範囲のものであるか、又は一方が可視光の感度範囲で他方が非可視光の感度範囲のものであるものとしてもよい。これにより、適用した感度範囲の画像の立体撮影が可能となる。
【発明の効果】
【００２６】
本発明によれば、簡易に立体撮影を行うカプセル内視鏡システムを構成することができる、という効果が得られる。
【発明を実施するための最良の形態】
【００２７】
以下、図面を参照して、本発明の実施の形態について詳細に説明する。
【００２８】
［第１の実施の形態］
まず、図１を参照して、本実施の形態に係るカプセル内視鏡システムの構成を説明する。なお、図１（Ａ）は当該カプセル内視鏡システムの概略平面図（一部断面図）であり、図１（Ｂ）は当該カプセル内視鏡システムの概略正面図である。
【００２９】
同図に示されるように、本実施の形態に係るカプセル内視鏡システムは、カプセル内視鏡１０Ａ及びカプセル内視鏡１０Ｂの２種類のカプセル内視鏡が組み合わされて構成されている。
【００３０】
次に、カプセル内視鏡１０Ａの構成を説明する。
【００３１】
本実施の形態に係るカプセル内視鏡１０Ａは、カプセル外壁５０により密閉された状態とされており、カプセル外壁５０の内部に、カプセル内視鏡１０の全体的な動作を司る制御基板２０と、被写体を撮像する撮像部３０と、を備えている。なお、本実施の形態に係るカプセル内視鏡１０Ａでは、カプセル外壁５０として、一端が略半球形状とされ、かつ開口する他端に略半球形状のキャップ５０Ａが取り付けられて当該開口が閉塞された略円筒形状とされたものを適用しているが、これに限らず、例えば、球状のものや、断面視楕円状のもの等、他の形状のものを適用する形態とすることもできる。
【００３２】
一方、撮像部３０は、基板３２と、被写体を撮像するための撮像素子３４と、撮像素子３４の撮像領域に被写体像を結像させる結像光学系３６と、を備えている。
【００３３】
なお、本実施の形態に係るカプセル内視鏡１０Ａでは、撮像素子３４としてＣＣＤエリアセンサを適用しているが、例えば、ＣＭＯＳイメージ・センサ等の他の撮像素子を適用できることは言うまでもない。また、本実施の形態に係るカプセル内視鏡１０Ａでは、結像光学系３６として単一の結像レンズのみを適用しているが、例えば、当該結像レンズに加えて、焦点調整用の機構やズーミング用の機構等を設けて、焦点調整やズーミング等の機能を有する形態とすることもできる。
【００３４】
本実施の形態に係る基板３２は、正面視矩形状とされたプリント配線基板であり、撮像素子３４は、撮像領域の中心が基板３２の中心に位置するように基板３２に設けられている。
【００３５】
一方、基板３２には、撮像素子３４を取り囲むように円筒状の外周壁３１Ａが立設されており、当該外周壁３１Ａの基板３２が設けられている側とは反対側に結像光学系３６が設けられている。従って、撮像素子３４は、基板３２、外周壁３１Ａ、及び結像光学系３６により略密閉された状態とされている。
【００３６】
また、基板３２の撮像素子３４が設けられている側の面の外周壁３１Ａの外側の２位置には、各々被写体に対して光を照射する発光素子３８Ａ及び発光素子３８Ｂが設けられている。なお、発光素子の数は２つに限らず、１つとしたり、３つ以上としたりすることができることは言うまでもないが、本実施の形態に係るカプセル内視鏡１０Ａは、単体でも単眼撮影用として用いることが想定されているため、図１（Ａ）に示されるように、基板３２の撮像素子３４を中心として略点対称の２位置に発光素子を設けるようにしている。また、本実施の形態に係るカプセル内視鏡１０Ａでは、発光素子３８Ａ，３８Ｂとして発光ダイオードを適用しているが、これに限らず、豆電球、有機ＥＬ等の他の発光体を適用することができることも言うまでもない。
【００３７】
基板３２は、制御基板２０の一端部に立設されている。なお、本実施の形態に係るカプセル内視鏡１０Ａでは、結像光学系３６が、光軸方向前方が後述するマグネット４０Ａの配置側の側方に所定角度（ここでは１０度）傾斜されるように、基板３２が制御基板２０上に位置決めされている。これにより、近接した被写体に対する立体撮影を良好に行うことができる。
【００３８】
一方、制御基板２０は、カプセル外壁５０の内部に固定されており、カプセル内視鏡１０Ａの全体的な動作を司る制御部１２と、情報処理装置（一例として、パーソナル・コンピュータ）等の不図示の外部装置との間の通信動作を司る送受信部１４と、カプセル内視鏡１０Ａの内部の各部に駆動用の電力を供給する電源部１８と、が設けられている。
【００３９】
本実施の形態に係るカプセル内視鏡１０Ａでは、送受信部１４として所定の通信規格にて無線通信を行うものが適用されている。また、本実施の形態に係るカプセル内視鏡１０Ａでは、電源部１８における給電源として、１次電池として構成されたボタン電池を適用しているが、これに限らず、例えば、２次電池等の他の電池を適用する形態や、外部からの電磁誘導によって電力が供給されるものを適用する形態とすることもできる。
【００４０】
図１（Ａ）に示されるように、基板３２に設けられた撮像素子３４及び発光素子３８Ａ，３８Ｂは制御部１２に電気的に接続されており、撮像素子３４による撮像動作及び発光素子３８Ａ，３８Ｂの発光動作は制御部１２によって制御される。また、送受信部１４も制御部１２に電気的に接続されており、送受信部１４による通信動作もまた制御部１２により制御される。更に、電源部１８は送受信部１４に電気的に接続されており、送受信部１４に対する駆動電力は電源部１８により供給される一方、制御部１２、撮像素子３４、及び発光素子３８Ａ，３８Ｂに対する駆動電力もまた、送受信部１４等を介して電源部１８により供給される。
【００４１】
一方、カプセル内視鏡１０Ａには、当該カプセル内視鏡１０Ａの撮像素子３４による撮像方向に直交する方向の側面から撮像素子３４による撮像方向とは逆方向側の端部（カプセル内視鏡１０Ａの後端部）にかけて、制御基板２０の一側端部及び後端部を取り囲むようにマグネット４０Ａが設けられている。
【００４２】
ここで、マグネット４０Ａは、カプセル内視鏡１０Ａの前端部側の端部がＮ極とされ、カプセル内視鏡１０Ａの後端部側の端部がＳ極とされた、断面視略Ｌ字状とされている。なお、本実施の形態に係るマグネット４０Ａは、永久磁石により構成されている。
【００４３】
次に、カプセル内視鏡１０Ｂの構成を説明する。なお、本実施の形態に係るカプセル内視鏡１０Ｂは、カプセル内視鏡１０Ａと略同様の構成とされており、カプセル内視鏡１０Ａと同一の構成要素にはカプセル内視鏡１０Ａと同一の符号を付して、その説明を省略する。
【００４４】
図１（Ａ）に示されるように、本実施の形態に係るカプセル内視鏡１０Ｂは、カプセル内視鏡１０Ａに比較して、カプセル外壁５０内部の各部の配置がカプセル内視鏡の前後方向中心軸を中心として反転されている点と、マグネット４０Ａに代えてマグネット４０Ｂが適用されている点のみが異なっている。
【００４５】
マグネット４０Ｂは、カプセル内視鏡１０Ｂの前端部側の端部がＳ極とされ、カプセル内視鏡１０Ｂの後端部側の端部がＮ極とされた、断面視略Ｌ字状とされている。マグネット４０Ｂは、その配置位置がマグネット４０Ａの配置位置に対してカプセル内視鏡の前後方向中心軸を中心として反転された位置とされており、その形状及び寸法がマグネット４０Ａと同一のものとされ、更に、極性の位置関係がマグネット４０Ａと逆になっている。従って、カプセル内視鏡１０Ａ及びカプセル内視鏡１０Ｂを組み合わせることにより、各カプセル内視鏡に設けられているマグネット４０Ａとマグネット４０Ｂが磁力によって引き付け合い、一例として図１（Ａ）に示されるように、互いの前後方向位置が略一致された状態（すなわち、各々のカプセル内視鏡の前後方向に対する撮像素子３４による撮像位置が略一致された状態）で一体化されて、良好に立体撮影を行うことのできるカプセル内視鏡システムを構成することができる。
【００４６】
ここで、一例として図１（Ｂ）に示すように、本実施の形態に係るカプセル内視鏡１０Ａのカプセル外壁５０におけるマグネット４０Ａが設けられている側の側面と、カプセル内視鏡１０Ｂのカプセル外壁５０におけるマグネット４０Ｂが設けられている側の側面は、互いに整合する形状（図１（Ｂ）に示す例では、平坦形状）とされている。これにより、カプセル内視鏡１０Ａとカプセル内視鏡１０Ｂとを安定した状態で結合することができる。
【００４７】
また、本実施の形態に係るカプセル内視鏡システムでは、マグネット４０Ａ及びマグネット４０Ｂがカプセル内視鏡の後端部側にも所定の長さをもって設けられている。従って、カプセル内視鏡１０Ａ及びカプセル内視鏡１０Ｂは、各々の後端部同士が磁力によって引き付け合うものとされている。
【００４８】
ここで、マグネット４０Ａ及びマグネット４０Ｂのカプセル内視鏡の側面部に位置される部分の長さがカプセル内視鏡の後端部に位置される部分に比較して長くされている。
【００４９】
また、前述したように、各カプセル内視鏡の後端部は略半球形状とされており、カプセル内視鏡１０Ａの後端部側におけるマグネット４０Ａと、カプセル内視鏡１０Ｂの後端部側におけるマグネット４０Ｂとの間の磁力が、当該磁力によりカプセル内視鏡１０Ａとカプセル内視鏡１０Ｂの後端部同士が結合されている状態で、カプセル内視鏡１０Ａの側面側におけるマグネット４０Ａと、カプセル内視鏡１０Ｂの側面側におけるマグネット４０Ｂとの間の磁力によりカプセル内視鏡１０Ａとカプセル内視鏡１０Ｂが結合される状態に移行される磁力とされている。
【００５０】
また、カプセル内視鏡１０Ａ及びカプセル内視鏡１０Ｂの何れか一方（ここでは、カプセル内視鏡１０Ａ）は、カプセル外壁５０の外面の摩擦が他方（ここでは、カプセル内視鏡１０Ｂ）のカプセル外壁５０の外面より大きくされている。なお、上記摩擦を大きくする方法として、本実施の形態では、摩擦を大きくするほうのカプセル内視鏡のカプセル外壁５０の外面のみに艶消し加工を施す方法を適用しているが、これに限らず、例えば、摩擦を大きくするほうのカプセル内視鏡のカプセル外壁５０の径を他方のカプセル内視鏡の外壁より大きくする等といった、各カプセル内視鏡のサイズを互いに異なるものとする形態を例示することができる。
【００５１】
次に、図２を参照して、本実施の形態に係るカプセル内視鏡システムの作用を説明する。
【００５２】
まず、カプセル内視鏡システムのユーザは、カプセル内視鏡１０Ａ及びカプセル内視鏡１０Ｂにおける不図示の電源スイッチをオン状態とし、カプセル内視鏡システムの投入対象者に対して、カプセル内視鏡１０Ａ、カプセル内視鏡１０Ｂの順に口から順次投入する。
【００５３】
なお、本実施の形態に係るカプセル内視鏡１０Ａ及びカプセル内視鏡１０Ｂの制御部１２は、電源スイッチがオン状態とされている際には結像光学系３６、撮像素子３４、及び発光素子３８Ａ，３８Ｂの組み合わせにより構成される撮像光学系を駆動させつつ、当該撮像光学系によって得られた画像データを連続的に外部に送信するように送受信部１４を制御する。そして、以上の動作によりカプセル内視鏡１０Ａ及びカプセル内視鏡１０Ｂから送信された画像データは前述した外部装置によって受信され、当該外部装置では、例えば、受信した画像データの当該外部装置に設けられたハードディスク装置やメインメモリ等の記憶手段への記憶、当該外部装置に設けられた表示手段による、受信した画像データにより示される撮像画像の表示等といった各種処理がリアルタイムで実行されることになる。
【００５４】
ここで、カプセル内視鏡１０Ａはカプセル内視鏡１０Ｂに比較して摩擦が大きなものとされているため、先に投入されたカプセル内視鏡１０Ａに対してカプセル内視鏡１０Ｂが追い付き易く、カプセル内視鏡１０Ａ及びカプセル内視鏡１０Ｂが、各々の側面同士が連結できる広さとなっていない部位を通過する際には、マグネット４０Ａ及びマグネット４０Ｂの間の磁力によって各カプセル内視鏡の後端部同士が連結された状態となり易い。なお、この状態下においては、カプセル内視鏡の進行方向前後の単眼撮影による画像データが各カプセル内視鏡より得られることになる。
【００５５】
そして、カプセル内視鏡１０Ａ及びカプセル内視鏡１０Ｂが、各々の側面同士が連結できる広さとなっている部位に進入すると、各カプセル内視鏡の側面におけるマグネット４０Ａ及びマグネット４０Ｂの間の磁力によって各カプセル内視鏡の側面同士が連結された状態（図１に示される状態）となり、立体撮影が行われることになる。
【００５６】
なお、本カプセル内視鏡システムが再びカプセル内視鏡１０Ａ及びカプセル内視鏡１０Ｂの側面同士が連結できる広さとなっていない部位に進入した際には、各カプセル内視鏡の後端部同士が連結された状態に移行し、最終的には、その状態で体外へ排出されることになる。
【００５７】
以上詳細に説明したように、本実施の形態では、カプセル内視鏡システムを構成する第１のカプセル内視鏡（ここでは、カプセル内視鏡１０Ａ）の撮像方向に直交する方向の側面又は当該側面の近傍に第１の側面マグネット（ここでは、マグネット４０Ａ）を設ける一方、第２のカプセル内視鏡（ここでは、カプセル内視鏡１０Ｂ）の撮像方向に直交する方向の側面又は当該側面の近傍に、第１の側面マグネットとの間の磁力によって第１のカプセル内視鏡に引き付けられた際に撮像方向が第１のカプセル内視鏡による撮像方向を向くように第２の側面マグネット（ここでは、マグネット４０Ｂ）を設けているので、簡易に立体撮影を行うものとしてカプセル内視鏡システムを構成することができる。
【００５８】
また、本実施の形態では、前記第１のカプセル内視鏡が、当該第１のカプセル内視鏡の第１の撮像素子（ここでは、撮像素子３４）による撮像方向と逆方向側の端部又は当該端部近傍に設けられた第１の後部マグネット（ここでは、マグネット４０Ａ）を備え、前記第２のカプセル内視鏡が、当該第２のカプセル内視鏡の第２の撮像素子（ここでは、撮像素子３４）による撮像方向と逆方向側の端部又は当該端部近傍に設けられた第２の後部マグネット（ここでは、マグネット４０Ｂ）を備え、前記第１のカプセル内視鏡と前記第２のカプセル内視鏡の後端部が略半球形状とされており、かつ前記第１の後部マグネットと前記第２の後部マグネットとの間の磁力が、当該磁力により前記第１のカプセル内視鏡と前記第２のカプセル内視鏡の後端部同士が結合されている状態で前記第１の側面マグネットと前記第２の側面マグネットとの間の磁力により前記第１のカプセル内視鏡と前記第２のカプセル内視鏡が結合される状態に移行される磁力とされているものとしているので、第１のカプセル内視鏡と第２のカプセル内視鏡の各々の後端部同士を磁力により結合した状態で体内に投入することができる結果、利便性を向上させることができる。
【００５９】
特に、本実施の形態では、前記第１の側面マグネットと前記第１の後部マグネットが一体構成されたものであり、前記第２の側面マグネットと前記第２の後部マグネットが一体構成されたものとしているので、第１のカプセル内視鏡及び第２のカプセル内視鏡を簡易に構成することができる結果、より簡易に立体撮影を行うものとして構成することができる。
【００６０】
また、本実施の形態では、前記第１の側面マグネットと前記第１の後部マグネットが略Ｌ字状に一体構成されたものであり、前記第２の側面マグネットと前記第２の後部マグネットが略Ｌ字状に一体構成されたものであるものとしているので、より簡易に側面マグネットと後部マグネットを構成することができる結果、より簡易に立体撮影を行うものとして構成することができる。
【００６１】
また、本実施の形態では、第１の結像光学系（ここでは、結像光学系３６）が、光軸方向前方が前記第１の側面マグネットの配置側の側方に所定角度傾斜されており、第２の結像光学系（ここでは、結像光学系３６）が、光軸方向前方が前記第２の側面マグネットの配置側の側方に所定角度傾斜されているものとしているので、近接した被写体に対する立体撮影を良好に行うことができる。
【００６２】
また、本実施の形態では、前記第１のカプセル内視鏡の前記第１の側面マグネットが配置されている側の側面と、前記第２のカプセル内視鏡の前記第２の側面マグネットが配置されている側の側面とを、互いに整合する形状としているので、第１のカプセル内視鏡と第２のカプセル内視鏡とを安定した状態で結合することができる。
【００６３】
また、本実施の形態では、前記第１のカプセル内視鏡及び前記第２のカプセル内視鏡の何れか一方の外面の摩擦が他方の外面より大きくされているものとしているので、体内に外面の摩擦が大きい方のカプセル内視鏡を先に投入した後、他方のカプセル内視鏡を投入することにより、各カプセル内視鏡の体内への投入後の結合性を向上させることができる。
【００６４】
更に、本実施の形態では、前記第１のカプセル内視鏡が、前記第１の撮像素子及び前記第１の結像光学系が設けられた第１の撮像部（ここでは、撮像部３０）を備え、前記第２のカプセル内視鏡が、前記第２の撮像素子及び前記第２の結像光学系が設けられた第２の撮像部（ここでは、撮像部３０）を備えているので、第１の撮像素子と第１の結像光学系の一体構成化及び第２の撮像素子と第２の結像光学系の一体構成化が可能となり、この結果として、第１のカプセル内視鏡及び第２のカプセル内視鏡を簡易に構成することができる。
【００６５】
なお、本実施の形態では、マグネット４０Ａ及びマグネット４０Ｂを永久磁石により構成した場合について説明したが、本発明はこれに限定されるものではなく、例えば、マグネット４０Ａ及びマグネット４０Ｂの少なくとも一方を、電流、電界、及び磁界の何れかにより磁力が生じるものとする形態とすることもできる。この場合、カプセル内視鏡１０Ａとカプセル内視鏡１０Ｂの結合及び分離を電気的に制御することが可能となるので、利便性を更に向上させることができる。
【００６６】
［第２の実施の形態］
本第２の実施の形態では、２つのカプセル内視鏡が組み合わされてカプセル内視鏡システムが構成された際に、各カプセル内視鏡の撮像部が移動して好適な位置に位置決めできるようにしたカプセル内視鏡システムの形態例について説明する。
【００６７】
まず、図３を参照して、本第２の実施の形態に係るカプセル内視鏡システムの構成を説明する。なお、図３は当該カプセル内視鏡システムの概略平面図（一部断面図）であり、図１（Ａ）と同一の部分には同図と同一の符号を付して、その説明を省略する。
【００６８】
図３に示されるように、本第２の実施の形態に係るカプセル内視鏡システムを構成するカプセル内視鏡１０Ｃは、カプセル外壁５０の内部を撮像部３０が設けられる領域と、制御基板２０が設けられる領域の２つの領域に隔壁４４によって仕切られている。このため、カプセル内視鏡１０Ｃのマグネット４０Ｃは、上記第１の実施の形態に係るマグネット４０Ａに比較して、カプセル内視鏡１０Ｃの前方側が短いものとされている。
【００６９】
一方、本実施の形態に係る基板３２の撮像素子３４が設けられていない側の略中央部には、他端部の径が胴部より大きくされた回転軸Ｌの一端部が取り付けられている。これに対し、隔壁４４の略中央部には、回転軸Ｌの胴部が貫通される、回転軸Ｌの胴部より僅かに大きく、かつ回転軸Ｌの上記他端部より小さな径とされた孔が設けられている。この構成により、撮像部３０は、カプセル内視鏡１０Ｃに撮像素子３４による撮像領域の中心を中心軸として図３矢印Ｌ方向に回転自在に設けられると共に、撮像素子３４による撮像方向に対して所定の範囲内で図３矢印Ｘ方向に移動自在に設けられている。
【００７０】
また、本実施の形態に係るカプセル内視鏡１０Ｃでは、撮像部３０における基板３２の一端部にマグネット４２Ａが基板３２に対して所定の傾斜角度で傾斜された状態で設けられている。ここで、マグネット４２Ａは、カプセル内視鏡１０Ｃの前方側の一端部がＮ極とされ、他端部がＳ極とされた、断面視略Ｉ字状とされている。これに対し、隔壁４４を隔てて設けられているマグネット４０Ｃのカプセル内視鏡１０Ｃの前方側の一端部はＮ極とされているため、マグネット４２Ａの他端部とマグネット４０Ｃの一端部が引き付け合う結果、カプセル内視鏡１０Ｃでは、一例として図３に示されるように、撮像部３０が結像光学系３６の光軸方向前方がマグネット４０Ｃの配置側の側方に所定角度傾斜された状態で位置決めされる。
【００７１】
次に、カプセル内視鏡１０Ｃと組み合わせて用いることによりカプセル内視鏡システムを構成するカプセル内視鏡１０Ｄの構成を説明する。なお、本実施の形態に係るカプセル内視鏡１０Ｄは、カプセル内視鏡１０Ｃと略同様の構成とされており、カプセル内視鏡１０Ｃと同一の構成要素にはカプセル内視鏡１０Ｃと同一の符号を付して、その説明を省略する。
【００７２】
図３に示されるように、本実施の形態に係るカプセル内視鏡１０Ｄは、カプセル内視鏡１０Ｃに比較して、カプセル外壁５０内部の各部の配置がカプセル内視鏡の前後方向中心軸を中心として反転されている点と、マグネット４０Ｃに代えてマグネット４０Ｄが適用され、マグネット４２Ａに代えてマグネット４２Ｂが適用されている点のみが異なっている。
【００７３】
マグネット４０Ｄは、カプセル内視鏡１０Ｄの前端部側の端部がＳ極とされ、カプセル内視鏡１０Ｄの後端部側の端部がＮ極とされた、断面視略Ｌ字状とされている。マグネット４０Ｄは、その配置位置がマグネット４０Ｃの配置位置に対してカプセル内視鏡の前後方向中心軸を中心として反転された位置とされており、その形状及び寸法がマグネット４０Ｃと同一のものとされ、更に、極性の位置関係がマグネット４０Ｃと逆になっている。従って、カプセル内視鏡１０Ｃ及びカプセル内視鏡１０Ｄを組み合わせることにより、各カプセル内視鏡に設けられているマグネット４０Ｃとマグネット４０Ｄが磁力によって引き付け合い、一例として図３に示されるように、互いの前後方向位置が略一致された状態で一体化されて、良好に立体撮影を行うことのできるカプセル内視鏡システムを構成することができる。
【００７４】
一方、マグネット４２Ｂは、カプセル内視鏡１０Ｄの前方側の一端部がＳ極とされ、他端部がＮ極とされた、断面視略Ｉ字状とされている。マグネット４２Ｂは、その形状及び寸法がマグネット４２Ａと同一のものとされており、更に、極性の位置関係がマグネット４２Ａと逆になっている。従って、カプセル内視鏡１０Ｃ及びカプセル内視鏡１０Ｄを組み合わせることにより、各カプセル内視鏡に設けられているマグネット４２Ａとマグネット４２Ｂが磁力によって引き付け合い、一例として図３に示されるように、各々の撮像部３０のカプセル内視鏡の前後方向に対する位置が略一致された状態（すなわち、各々のカプセル内視鏡の前後方向に対する撮像素子３４による撮像位置が略一致された状態）とされて、良好に立体撮影を行うことのできるカプセル内視鏡システムを構成することができる。
【００７５】
なお、本第２の実施の形態に係るカプセル内視鏡システムの作用は、上記第１の実施の形態に係るカプセル内視鏡システムと同様であるので、ここでの説明は省略する。
【００７６】
以上詳細に説明したように、本実施の形態では、上記第１の実施の形態と同様の効果を奏することができると共に、第１の撮像部（ここでは、カプセル内視鏡１０Ｃの撮像部３０）が、第１のカプセル内視鏡（ここでは、カプセル内視鏡１０Ｃ）に第１の撮像素子（ここでは、撮像素子３４）による撮像領域の中心を中心軸として回転自在に設けられ、かつ外周部の一部に第１の撮像部マグネット（ここでは、マグネット４２Ａ）が設けられており、第２の撮像部（ここでは、カプセル内視鏡１０Ｄの撮像部３０）が、第２のカプセル内視鏡（ここでは、カプセル内視鏡１０Ｄ）に第２の撮像素子（ここでは、撮像素子３４）による撮像領域の中心を中心軸として回転自在に設けられ、かつ前記第１の側面マグネットと前記第２の側面マグネットとの間の磁力によって前記第２のカプセル内視鏡が前記第１のカプセル内視鏡に引き付けられた際に前記第１の撮像部マグネットと引き付け合うように外周部の一部に第２の撮像部マグネット（ここでは、マグネット４２Ｂ）が設けられているので、第１の撮像部と第２の撮像部との間の各々の回転方向に対する相対的な位置関係を所望の状態とすることができる結果、良好な立体撮影を行うことができる。
【００７７】
また、本実施の形態では、前記第１の撮像部が、前記第１のカプセル内視鏡に前記第１の撮像素子による撮像方向に対して所定の範囲内で移動自在に設けられており、前記第２の撮像部が、前記第２のカプセル内視鏡に前記第２の撮像素子による撮像方向に対して所定の範囲内で移動自在に設けられているものとしているので、第１の撮像部と第２の撮像部の各カプセル内視鏡による撮像方向に対する位置を一致させることができる結果、良好な立体撮影を行うことができる。
【００７８】
更に、本実施の形態では、前記第１の撮像部マグネットが、一端部が前記第１の側面マグネットの前記第１の撮像素子による撮像方向側の一端部と引き合う極性とされており、前記第２の撮像部マグネットが、一端部が前記第２の側面マグネットの前記第２の撮像素子による撮像方向側の一端部と引き合う極性とされているので、磁力によって各カプセル内視鏡における撮像部マグネットの位置を、対応する側面マグネットに最も近い位置に位置させることができ、第１の撮像部と第２の撮像部の位置を、より安定化させることができる結果、良好な立体撮影を行うことができる。
【００７９】
なお、本実施の形態では、第１の撮像部マグネットを第１の側面マグネットと別構成とし、かつ第２の撮像部マグネットを第２の側面マグネットと別構成とした場合について説明したが、本発明はこれに限定されるものではなく、第１の撮像部マグネットを第１の側面マグネットと一体構成とし、かつ第２の撮像部マグネットを第２の側面マグネットと一体構成とする形態とすることもできる。
【００８０】
図４には、この場合のカプセル内視鏡システムの構成の一例が示されている。なお、同図における図３と同一の構成要素には図３と同一の符号が付されている。図４に示される例では、マグネット４２Ａに代えてマグネット４２Ｃがカプセル内視鏡１０Ｃの撮像部３０における基板３２に取り付けられる一方、マグネット４２Ｂに代えてマグネット４２Ｄがカプセル内視鏡１０Ｄの撮像部３０における基板３２に取り付けられている。ここで、マグネット４２Ｃ及びマグネット４２Ｄは、カプセル内視鏡の前端部近傍から後端部近傍に至る長さとされている。
【００８１】
なお、この形態では、各カプセル内視鏡の後端部に対し、本発明の後部マグネットとして、本発明の側面マグネットとは別構成とされたマグネット４０Ｅ及びマグネット４０Ｆが設けられている。
【００８２】
この形態によっても、本第２の実施の形態と同様の効果を奏することができる。
【００８３】
また、上記各実施の形態では、カプセル内視鏡システムを構成する２つのカプセル内視鏡の側面の形状を平坦形状（図１（Ｂ）も参照。）とすることにより、一方のカプセル内視鏡の側面マグネットが配置されている側の側面と、他方のカプセル内視鏡の側面マグネットが配置されている側の側面とが、互いに整合する形状とする場合について説明したが、本発明はこれに限定されるものではなく、例えば、一例として図５に示されるように、一方のカプセル内視鏡の側面に凹部を設け、他方のカプセル内視鏡の側面に、上記凹部の形状に対応する凸部を設ける形態とすることもできる。この場合も、上記各実施の形態と同様の効果を奏することができる。
【００８４】
また、図３及び図４に示したカプセル内視鏡システムでは、基板３２に設けられた回転軸Ｌを基板３２に垂直に設けた場合の形態例について示したが、本発明はこれに限定されるものではなく、一例として図６及び図７に示すように、基板３２がカプセル内視鏡に設けられた際に当該カプセル内視鏡の前後方向中心軸に軸線方向が平行となるように回転軸Ｌを設ける形態とすることもできる。なお、図６の図３と同様の構成要素には図３と同一の符号を付し、図７の図４と同様の構成要素には図４と同一の符号を付してある。この場合も、上記第２の実施の形態と同様の効果を奏することができる。
【００８５】
また、上記各実施の形態では、カプセル内視鏡システムを構成する２つのカプセル内視鏡に設けられた各撮像素子３４による撮像感度範囲については言及しなかったが、双方の撮像素子３４の撮像感度範囲を共に可視光の感度範囲とする形態の他、双方の撮像素子３４の撮像感度範囲を共に非可視光の感度範囲とする形態としたり、一方の撮像素子３４の撮像感度範囲を可視光の感度範囲とし、他方の撮像素子３４の撮像感度範囲を非可視光の感度範囲とする形態とすることもできる。なお、この場合の上記非可視光の感度範囲には、赤外光の感度範囲の他、紫外光の感度範囲が含まれる。
【００８６】
この場合、撮像感度範囲が可視光の感度範囲とされた撮像素子３４を有するカプセル内視鏡に設けられている発光素子３８Ａ（３８Ｂ）としては可視光を射出するものを適用し、撮像感度範囲が非可視光の感度範囲とされた撮像素子３４を有するカプセル内視鏡に設けられている発光素子３８Ａ（３８Ｂ）としては当該非可視光を射出するものを適用することになる。
【００８７】
例えば、一方の撮像素子３４の撮像感度範囲を可視光の感度範囲とし、他方の撮像素子３４の撮像感度範囲を非可視光（一例として赤外光）の感度範囲とする形態とした場合、同一撮影部位の可視光画像と非可視光画像（一例として赤外光画像）を得ることができる。また、この場合で、非可視光として赤外光を適用した場合には、赤外光による撮影をＴＯＦ（Time Of Flight）方式等の赤外測距撮影とすることで、被写体の立体距離を検出することができる結果、立体映像を得ることができる。なお、この場合、一方の撮影は赤外光による撮影であるため、双方の撮影を同時に行っても、可視光による撮影に影響を及ぼすことはない。
【００８８】
また、上記各実施の形態では、発光素子から射出された光を集光したり、拡散したりする部材を設ける点については言及しなかったが、これらの部材を設ける形態とすることもできることは言うまでもない。
【００８９】
その他、上記各実施の形態に係るカプセル内視鏡の構成（図１，図３，図４，図５，図６，図７参照。）は一例であり、本発明の主旨を逸脱しない範囲内において適宜変更可能であることは言うまでもない。
【図面の簡単な説明】
【００９０】
【図１】第１の実施の形態に係るカプセル内視鏡システムの全体的な構成を示す図であり、（Ａ）は当該カプセル内視鏡システムの概略平面図（一部断面図）であり、（Ｂ）は当該カプセル内視鏡システムの概略正面図である。
【図２】実施の形態に係るカプセル内視鏡システムの作用の説明に供する模式図である。
【図３】第２の実施の形態に係るカプセル内視鏡システムの全体的な構成を示す概略平面図（一部断面図）である。
【図４】第２の実施の形態に係るカプセル内視鏡システムの変形例の構成を示す概略平面図（一部断面図）である。
【図５】実施の形態に係るカプセル内視鏡システムの変形例の構成を示す概略正面図である。
【図６】第２の実施の形態に係るカプセル内視鏡システムの他の変形例の構成を示す概略平面図（一部断面図）である。
【図７】図４に示したカプセル内視鏡システムの変形例の構成を示す概略平面図（一部断面図）である。
【符号の説明】
【００９１】
１０Ａ，１０Ｂ，１０Ｃ，１０Ｄ，１０Ｅ，１０Ｆ    カプセル内視鏡
１２    制御部
１４    送受信部
１８    電源部
２０    制御基板
３０    撮像部（第１の撮像部，第２の撮像部）
３２    基板
３４    撮像素子（第１の撮像素子，第２の撮像素子）
３６    結像光学系（第１の結像光学系，第２の結像光学系）
３８Ａ，３８Ｂ    発光素子
４０Ａ，４０Ｂ，４０Ｃ，４０Ｄ    マグネット（第１の側面マグネット，第２の側面マグネット，第１の後部マグネット，第２の後部マグネット）
４０Ｅ，４０Ｆ    マグネット（第１の後部マグネット，第２の後部マグネット）
４２Ａ，４２Ｂ    マグネット（第１の撮像部マグネット，第２の撮像部マグネット）
４２Ｃ，４２Ｄ    マグネット（第１の撮像部マグネット，第２の撮像部マグネット，第１の側面マグネット，第２の側面マグネット）
５０    カプセル外壁
【図１】
2008067909.tif 000003
【図２】
2008067909.tif 000004
【図３】
2008067909.tif 000005
【図４】
2008067909.tif 000006
【図５】
2008067909.tif 000007
【図６】
2008067909.tif 000008
【図７】
2008067909.tif 000009